(57)【要約】【目的】軽量な反射鏡内蔵型ショートアークランプを提供すること。【構成】陽極（５）と陰極（４）の間に形成されるアークにより生じる光を反射する凹形状の反射面（１ａ）を有する、絶縁材料からなる胴体（１）と；この胴体内に形成された密閉空間（Ｔ）と；この密閉空間内に封入されたナトリウム（１２）と；を備えた反射鏡内蔵型ショートアークランプ。【選択図】      図１
2004214102.tif 000002
【特許請求の範囲】
【請求項１】
陽極と陰極の間に形成されるアークにより生じる光を反射する凹形状の反射面を有する、絶縁材料からなる胴体と；
この胴体内に形成された密閉空間と；
この密閉空間内に封入されたナトリウムと；
を備えたことを特徴とする反射鏡内蔵型ショートアークランプ。
【請求項２】
請求項１記載の反射鏡内蔵型ショートアークランプにおいて、さらに、
反射面内側の放電空間を気密状態とし且つ反射面により反射された光を透過させる、反射面前方に固定された透明部材と；
胴体の後端部に固定され且つ上記陽極と電気的に導通する、金属からなる陽極導通ブロックと；を備え、
ナトリウムが封入された密閉空間は反射面と上記陽極導通ブロックの間に形成されている、反射鏡内蔵型ショートアークランプ。
【請求項３】
請求項１記載の反射鏡内蔵型ショートアークランプにおいて、放電空間内には陰極と陽極が反射面の光軸に沿って対向配置されており、ナトリウムが封入された密閉空間は上記光軸を軸とした回転対称形状を有している、反射鏡内蔵型ショートアークランプ。
【発明の詳細な説明】
【０００１】
【技術分野】
本発明は反射鏡内蔵型ショートアークランプに関する。
【０００２】
【従来技術及びその問題点】
内視鏡やビデオプロジェクタ等の光源として、内臓反射鏡と頑丈なセラミックボディ構造により高い安全性とコンパクト性を両立した反射鏡内蔵型ショートアークランプが各種知られている（例えば特許文献１、特許文献２参照）。
【０００３】
【特許文献１】
特許第３１５８８７３号公報
【０００４】
【特許文献２】
特許第３１８３１４５号公報
【０００５】
【発明の目的】
本発明は、軽量な反射鏡内蔵型ショートアークランプを提供することを目的とする。
【０００６】
【発明の概要】
本発明の反射鏡内蔵型ショートアークランプは、陽極と陰極の間に形成されるアークにより生じる光を反射する凹形状の反射面を有する、絶縁材料からなる胴体と；この胴体内に形成された密閉空間と；この密閉空間内に封入されたナトリウムと；を備えたことを特徴としている。
【０００７】
【発明の実施の形態】
図１は本発明を適用した反射鏡内蔵型ショートアークランプの一実施形態を示している。このショートアークランプは、絶縁材料であるアルミナセラミックからなる胴体１を有しており、胴体１には、銀やアルミニウム等の金属が蒸着された反射面１ａが形成されている。反射面１ａの内面側には放電空間Ｓが形成されており、放電空間Ｓ内には陰極４と陽極５が反射面１ａの光軸に沿って対向配置されている。対向する陰極４の後端と陽極５の前端は、反射面１ａの焦点位置を挟んだ前後にそれぞれ位置している。
【０００８】
反射面１ａの先端開口を成す胴体１の先端部（図１での右端部）には、セラミックリング９、銅リング（図示せず）、給電リング２の順で配置されており、これらセラミックリング９、銅リング及び給電リング２は、リング状の第１金属部材６によって胴体１の先端部に固定されている。給電リング２及び第１金属部材６は各々コバール製である。
【０００９】
給電リング２の内面にはリング状のフランジ１０が嵌め込まれており、フランジ１０の内周面には、サファイアガラス等の透明材からなる円形の窓部材１１が固定されている。
【００１０】
反射面１ａ内側の放電空間Ｓは、以上の第１金属部材６、給電リング２、フランジ１０及び窓部材１１により気密状態とされ、放電空間Ｓ内にはキセノン等の不活性ガスが充填されている。
【００１１】
反射面１ａと窓部材１１の間には、給電リング２の半径方向に延びる導電性支持部材３が設けられている。導電性支持部材３はモリブデンからなり、その外側端部は給電リング２に溶接され、内側端部には陰極４が溶接されている。つまり第１金属部材６は給電リング２と導電性支持部材３を介して陰極４と電気的に導通している。
【００１２】
胴体１の後端部には、リング状の第２金属部材８を介して鉄製の金属ブロック（陽極導通ブロック）７が固定されている。金属ブロック７の軸心には陽極５が貫通している。このため第２金属部材８は金属ブロック７を介して陽極５と電気的に導通している。
【００１３】
胴体１は反射面１ａの後方に密閉空間Ｔを有している。この密閉空間Ｔは反射面１ａの光軸を軸とした回転対称形状を有する環状空間であり、この空間内部にはナトリウム１２が封入されている。
【００１４】
即ち胴体１は、前面に反射面１ａを有する傘状壁部１ｂと、金属ブロック７と当接する後端壁部１ｃと、傘状壁部１ｂの外周縁と後端壁部１ｃの外周縁を接続する外側円筒壁部１ｄと、傘状壁部１ｂの内周縁と後端壁部１ｃの内周縁を接続する内側円筒壁部１ｅとからなっており、密閉空間Ｔに封入されたナトリウム１２はこれら傘状壁部１ｂ、後端壁部１ｃ、外側円筒壁部１ｄ及び内側円筒壁部１ｅにより密閉されている。
【００１５】
陰極４と陽極５との間にアークが形成され、このアークにより発生した熱の一部は反斜面１ａから胴体１内部に伝わる。この胴体１内部に伝わる熱の主な経路は、反斜面１ａ、胴体１（傘状壁部１ｂ）、ナトリウム１２、胴体１（後端壁部１ｃ及び外側円筒壁部１ｄ）、第２金属部材８の順となる。
【００１６】
以上の構成を有するショートアークランプによれば、アルミナセラミックからなる胴体内に密閉空間を形成し、この密閉空間内にアルミナセラミックより比重の小さいナトリウムを封入したので、ショートアークランプの重量が軽減される。なおアルミナセラミックの密度は３．６ｇ／ｃｍ３前後であり、ナトリウムの密度は０．９７ｇ／ｃｍ３である。
【００１７】
さらに、ナトリウムの熱伝導率はアルミナセラミックの熱伝導率と比較すると若干劣るが十分高いため、反斜面１ａから胴体１内部に伝わる熱は、上述した経路即ち反斜面１ａ、胴体１（傘状壁部１ｂ）、ナトリウム１２、胴体１（後端壁部１ｃ及び外側円筒壁部１ｄ）、第２金属部材８の順に確実に伝わり放熱するので十分な放熱効果が得られる。
【００１８】
以上の実施形態では、密閉空間Ｔは反射面１ａの光軸を軸とした回転対称形状に形成されているが、胴体１に形成する密閉空間を複数の区画に分割し、各区画にナトリウムを封入する構成にしてもよい。
【００１９】
【発明の効果】
以上のように、本発明によれば、胴体内に密閉空間を形成し、この密閉空間内ナトリウムを封入したので、反斜面から胴体内部に伝わる熱の放熱効果を殆ど損ねることなく軽量化された反射鏡内蔵型ショートアークランプを提供することができる。
【図面の簡単な説明】
【図１】本発明を適用した反射鏡内蔵型ショートアークランプの一実施形態を示す断面図である。
【図２】図１に示す反射鏡内蔵型ショートアークランプの給電リング、導電性支持部材及び陰極の位置関係を示す正面図である。
【符号の説明】
１  胴体
１ａ  反射面
２  給電リング
３    導電性支持部材
４  陰極
５  陽極
６  第１金属部材
７  金属ブロック（陽極導通ブロック）
８  第２金属部材
９  セラミックリング
１０  フランジ
１１  窓部材（透明部材）
１２  ナトリウム
Ｓ  放電空間
Ｔ  密閉空間
【図１】
2004214102.tif 000003
【図２】
2004214102.tif 000004